(57)【要約】　　　（修正有）【課題】ヘルメット等の下にかぶって頭部から出る汗を吸収するための汗とり鉢巻であって、ヘルメットの装着時に頭部からずれることがなく、頭部の周囲の略全域から汗を吸収可能にすること。【解決手段】汎用の手拭いを２回折り畳んで帯状の鉢巻本体１０を形成し、この鉢巻本体１０の両端の折り畳み部に面ファスナ２０、２０を縫い付け、鉢巻本体１０の中間の折り畳み部を縫い付けて保冷材３０を収納するポケット１５を形成する。【選択図】　図１
0003099822.tif 000002
【実用新案登録請求の範囲】
【請求項１】
　装着者（５０）の頭部（５１）に巻装される汗とり鉢巻であって、吸水性のよい布地で帯状に形成された鉢巻本体（１０，１０Ａ，１０Ｂ，１０Ｃ）と、頭部（５１）への巻装時に鉢巻本体（１０，１０Ａ，１０Ｂ，１０Ｃ）の長手方向の長さを頭部（５１）の周囲長に合わせて調整可能とするために、鉢巻本体（１０，１０Ａ，１０Ｂ，１０Ｃ）の両端部に固着された面ファスナ（２０，２０Ａ，２０Ｂ，２０Ｃ）（２０，２０Ａ，２０Ｂ，２０Ｃ）と、保冷材（３０，３０Ａ，３０Ｂ，３０Ｃ）を収納するために、鉢巻本体（１０，１０Ａ，１０Ｂ，１０Ｃ）の中間部に形成されたポケット（１５，１５Ａ，１５Ｂ，１５Ｃ）とを具備してなることを特徴とする汗とり鉢巻。
【請求項２】
　鉢巻本体（１０，１０Ａ）は、汎用の手拭いを短手方向に複数回折り畳んで帯状に形成され、面ファスナ（２０，２０Ａ）（２０，２０Ａ）は、鉢巻本体（１０，１０Ａ）の両端の折り畳み部に縫い付けられ、鉢巻本体（１０，１０Ａ）の中間の折り畳み部を縫い付けてポケット（１５，１５Ａ）としたことを特徴とする請求項１記載の汗とり鉢巻。
【請求項３】
　鉢巻本体（１０Ｂ）は、汎用の手拭いを短手方向に複数回折り畳んで帯状としたものを複数重ねて形成され、面ファスナ（２０Ｂ）（２０Ｂ）は、鉢巻本体（１０Ｂ）の両端の折り畳み部に縫い付けられ、鉢巻本体（１０Ｂ）の中間の折り畳み部を縫い付けてポケット（１５Ｂ）としたことを特徴とする請求項１記載の汗とり鉢巻。
【請求項４】
　鉢巻本体（１０Ｃ）は、汎用の手拭いを複数枚重ねて短手方向に複数回折り畳んで形成され、面ファスナ（２０Ｃ）（２０Ｃ）は、鉢巻本体（１０Ｃ）の両端の折り畳み部に縫い付けられ、鉢巻本体（１０Ｃ）の中間の折り畳み部を縫い付けてポケット（１５Ｃ）としたことを特徴とする請求項１記載の汗とり鉢巻。
【考案の詳細な説明】
【技術分野】
【０００１】
　本考案は、ヘルメットや帽子（以下ヘルメット等という。）の下にかぶって装着者の頭部から出る汗を吸収するための汗とり鉢巻に関するものである。
【背景技術】
【０００２】
　建築現場作業員にはヘルメットの装着が義務付けられている。夏場には頭部が汗でむれたり、顔に汗がしたたり落ちたりする。
　これを解消するために、例えば手拭いやタオルを折り畳んで鉢巻を作り、この鉢巻を頭部に巻装した上にヘルメットを装着し、鉢巻で汗を吸収するようにしていた。
【０００３】
　しかし、鉢巻の結び目がヘルメット装着の妨げとなり、ヘルメットを正しく装着することができないという問題点があった。
　また、鉢巻を結ばずに頭部へ巻いただけでヘルメットを装着しようとすると、装着時に鉢巻がずれて汗の吸収が不十分になるという問題点があった。
【０００４】
　上述の問題点を解決する一例として、図８（ａ）（ｂ）に示すよう汗とりパット１０１が公知である。
　すなわち、図８（ａ）に示すように、ヘルメット１０３の内側の額部分に接着バンド１０５、１０５を貼着し、同図（ｂ）に示すように、接着バンド１０５、１０５に汗とりパット１０１を着脱可能に取り付け、この汗とりパット１０１で汗を吸収するようにしていた。
【考案の開示】
【考案が解決しようとする課題】
【０００５】
　しかしながら、図８（ａ）（ｂ）に示した公知例では、汗とりパット１０１が額部分に当たっているだけなので、汗とりパット１０１の当たらない部分の汗を吸収できないという問題点があった。
　また、汗の吸収量が少ないので暑い日には何度も交換しなければならないという問題点があった。
【０００６】
　本考案は上述の問題点に鑑みなされたもので、ヘルメット等の装着時に頭部からずれることがなく、しかも頭部の周囲の略全域から汗を吸収することの可能な汗とり鉢巻を提供することを目的とするものである。
【課題を解決するための手段】
【０００７】
　請求項１記載の考案は、装着者の頭部に巻装される汗とり鉢巻であって、吸水性のよい布地で帯状に形成された鉢巻本体と、前記頭部への巻装時に前記鉢巻本体の長手方向の長さを前記頭部の周囲長に合わせて調整可能とするために、前記鉢巻本体の両端部に固着された面ファスナと、保冷材を収納するために前記鉢巻本体の中間部に形成されたポケットとを具備してなることを特徴とする。
　上述の構成において、装着者の頭部に鉢巻本体を巻装し、面ファスナの係止部を互いに係止することによって、頭部の周囲の略全域に鉢巻本体を巻装することができる。ポケットに保冷材を収納することによって頭部を冷やすことができる。
【０００８】
　請求項２記載の考案は、請求項１記載の考案において、製作を簡単にするために、汎用の手拭いを短手方向に複数回折り畳んで帯状の鉢巻本体を形成し、この鉢巻本体の両端の折り畳み部に面ファスナを縫い付け、鉢巻本体の中間の折り畳み部を縫い付けてポケットを形成したことを特徴とする。
【０００９】
　請求項３記載の考案は、請求項１記載の考案において、製作を簡単にするとともに汗の吸水量を多くするために、汎用の手拭いを短手方向に複数回折り畳んで帯状としたものを複数重ねて帯状の鉢巻本体を形成し、この鉢巻本体の両端の折り畳み部に面ファスナを縫い付け、鉢巻本体の中間の折り畳み部を縫い付けてポケットを形成したことを特徴とする。
【００１０】
　請求項４記載の考案は、請求項１記載の考案において、製作を簡単にするとともに汗の吸水量を多くするために、汎用の手拭いを複数枚重ねて短手方向に複数回折り畳んで帯状の鉢巻本体を形成し、この鉢巻本体の両端の折り畳み部に面ファスナを縫い付け、鉢巻本体の中間の折り畳み部を縫い付けてポケットを形成したことを特徴とする。
【考案の効果】
【００１１】
　請求項１記載の考案は、装着者の頭部に装着される汗とり鉢巻において、鉢巻本体、面ファスナ及びポケットを具備し、頭部に鉢巻本体を巻装し、面ファスナを互いに係止することによって、頭部の周囲の略全域に鉢巻本体を巻装することができ、ポケットに保冷材を収納することによって頭部を冷やすことができるように構成した。
　このため、鉢巻本体を巻装後にヘルメット等を正しく装着することができると共に、装着時に鉢巻本体がずれることがなく、しかも頭部の周囲の略全域から汗を吸収することができ、さらに保冷材を頭部周囲の所望部分（例えば額部分や後頭部分）に当てて冷却することができる。
【００１２】
　請求項２記載の考案は、請求項１記載の考案において、汎用の手拭いを短手方向に複数回折り畳んで帯状の鉢巻本体を形成し、この鉢巻本体の両端の折り畳み部に面ファスナを縫い付け、鉢巻本体の中間の折り畳み部を縫い付けてポケットを形成する構成としたので、汗とり鉢巻を汎用の手拭いで簡単に製作することができるとともに、面ファスナの係止時に面ファスナの係止部が鉢巻本体に係止することがないので、巻装位置調整時の面ファスナの着脱操作を容易にすることができる。
【００１３】
　請求項３記載の考案は、請求項１記載の考案において、汎用の手拭いを短手方向に複数回折り畳んで帯状としたものを複数重ねて帯状の鉢巻本体を形成し、この鉢巻本体の両端の折り畳み部に面ファスナを縫い付け、鉢巻本体の中間の折り畳み部を縫い付けてポケットを形成する構成としたので、汗とり鉢巻を汎用の手拭いで簡単に製作することができるとともに汗の吸水量を多くすることができ、さらに、面ファスナの係止時に面ファスナの係止部が鉢巻本体に係止することがないので、巻装位置調整時の面ファスナの着脱操作を容易にすることができる。
【００１４】
　請求項４記載の考案は、請求項１記載の考案において、汎用の手拭いを複数枚重ねて短手方向に複数回折り畳んで帯状の鉢巻本体を形成し、この鉢巻本体の両端の折り畳み部に面ファスナを縫い付け、鉢巻本体の中間の折り畳み部を縫い付けてポケットを形成する構成としたので、汗とり鉢巻を汎用の手拭いで簡単に製作することができるとともに汗の吸水量を多くすることができ、さらに、面ファスナの係止時に面ファスナの係止部が鉢巻本体に係止することがないので、巻装位置調整時の面ファスナの着脱操作を容易にすることができる。
【考案を実施するための最良の形態】
【００１５】
　装着者の頭部に装着される汗とり鉢巻において、汎用の手拭いを短手方向に複数回折り畳んで帯状の鉢巻本体を形成し、この鉢巻本体の両端の折り畳み部に面ファスナを縫い付け、鉢巻本体の中間の折り畳み部を縫い付けてポケットを形成する。鉢巻本体の頭部への巻装時に面ファスナの係止位置で鉢巻本体の長手方向の長さを頭部の周囲長に合わせて調整でき、ポケットに保冷材を収納して頭部周囲の所望部分（例えば額部分や後頭部分）を冷却できる。
【実施例】
【００１６】
　図１〜図４は本考案による汗とり鉢巻の一実施例を示すものである。
　図１は使用状態を示す斜視図、図２は図１中の汗とり鉢巻を示す平面図及び正面図、図３は図２のＡ−Ａ線拡大断面図、図４は製作過程を示す説明図である。
【００１７】
　図１〜図４において、１０は鉢巻本体、２０、２０はマジックテープ（登録商標）のような面ファスナ、３０はアイスノン（登録商標）のような保冷材である。
【００１８】
　鉢巻本体１０は、図４に示すように、汎用の手拭い１１を短手方向へ２回折り畳んで帯状に形成されている。
　すなわち、図４（ａ）に示すように、矩形状（例えば３０ｃｍ×９０ｃｍ）の汎用の手拭い１１を、その長手方向の両端部１２、１２を折り返して縫い付け、長手方向に沿った中心線ＳＬ１を折り目として折り畳み、折り目を下側として同図（ｂ）の状態とする。
　ついで、長手方向に沿った中心線ＳＬ２を折り目として折り畳み折り目を下側とし、中間の折り畳み部をポケット１５とするために両側を短手方向へ縫い付けると共に、両側の上部開口部を閉じるために長手方向へ縫い付けて図４（ｃ）の状態とする。
【００１９】
　そして、鉢巻本体１０の左側端部の表面側（図４（ｃ）では前面側）と、鉢巻本体１０の右側端部の裏面側（図４（ｃ）では背面側）とのそれぞれに面ファスナ２０を縫い付け、ポケット１５に保冷材３０を収納することによって、図２に示すような汗とり鉢巻が製作される。図２及び図４においてＮは縫い目を表す。
【００２０】
　つぎに、汗とり鉢巻の使用例を図１を用いて説明する。
　装着者５０の頭部５１の周囲に鉢巻本体１０を巻きつけ、面ファスナ２０、２０の対面する係止部を係止する。このとき、保冷材３０が額部分側に、面ファスナ２０、２０が後頭部分側へくるように巻装する。この面ファスナ２０、２０の係止時に面ファスナ２０、２０の係止部が鉢巻本体１０に係止することがないので、巻装位置調整時の面ファスナ２０、２０の着脱操作を容易にすることができる。
　ついで、ヘルメット１０３を装着する。このとき、汗とり鉢巻の鉢巻本体１０は、面ファスナ２０、２０の係止によって頭部５１にぴったりと巻装されているので、ヘルメット１０３を正しく装着することができ、装着時に鉢巻本体１０が頭部５１からずれることもなく、頭部５１の周囲の略全域から汗を吸収することができる。
【００２１】
　前記実施例では、図４に示すように汎用の手拭いを２回折り畳んで鉢巻本体１０を製作し、鉢巻本体１０の中間部の略１／２を占める折り畳み部にポケット１５を形成した場合について説明したが、本考案はこれに限るものでなく、鉢巻本体が汎用の手拭いを短手方向へ２回以外の複数回折り畳んで形成され、ポケットが鉢巻本体の中間の折り畳み部を縫い付けて形成された場合について利用することができる。
　例えば、図５に示すように、手拭いを３回折り畳んで鉢巻本体１０Ａが形成され、この鉢巻本体１０Ａの中間部の略１／５を占める折り畳み部にポケット１５Ａを形成した場合についても利用することができる。図５において、２０Ａ、２０Ａは面ファスナを表し、３０Ａは保冷材を表す。
【００２２】
　前記実施例では、鉢巻本体を汎用の手拭い１枚で形成した場合について説明したが、本考案はこれに限るものでなく、鉢巻本体を汎用の手拭い複数枚で形成した場合についても利用することができる。
　例えば、図６及び図７に示すように、汎用の手拭いを短手方向に２回折り畳んで帯状としたものを２つ重ねて帯状の鉢巻本体１０Ｂを形成し、この鉢巻本体１０Ｂの両端の折り畳み部に面ファスナ２０Ｂ、２０Ｂを縫い付け、鉢巻本体１０Ｂの中間の折り畳み部を縫い付けてポケット１５Ｂ〜１５Ｂを形成し、このポケット１５Ｂに保冷材３０Ｂを収納する構成とした場合についても利用することができる。この場合、汗とり鉢巻を汎用の手拭いで簡単に製作することができるとともに汗の吸水量を多くすることができ、暑い夏場のような汗の多く出る時の利用に好適である。
　又は、汎用の手拭いを２枚重ねて短手方向に２回折り畳んで帯状の鉢巻本体１０Ｃ（図示省略）を形成し、この鉢巻本体１０Ｃの両端の折り畳み部に面ファスナ２０Ｃ、２０Ｃ（図示省略）を縫い付け、鉢巻本体１０Ｃの中間の折り畳み部を縫い付けてポケット１５Ｃ（図示省略）を形成、このポケット１５Ｃに保冷材３０Ｃ（図示省略）を収納する構成とした場合についても利用することができる。この場合、汗とり鉢巻を汎用の手拭いで簡単に製作することができるとともに汗の吸水量を多くすることができ、暑い作業場や夏場のような汗の多く出る時の利用に好適である。
【００２３】
　前記実施例では、汗とり鉢巻の頭部５１への巻装時に、保冷材が額部分側へくるようにした場合について説明したが、本考案はこれに限るものでなく、保冷材が頭部５１の所望の部位（例えば後頭部分側）へくるようにした場合についても利用することができる。
【００２４】
　前記実施例では、製作を簡単にするとともに巻装位置調整時の面ファスナの着脱操作を容易にするために、鉢巻本体を汎用の手拭いで製作した場合について説明したが、本考案はこれに限るものでなく、汎用のタオルで製作した場合についても利用することができる。
【００２５】
　前記実施例では、製作を簡単にするために、鉢巻本体を汎用の手拭いやタオルで製作し、鉢巻本体１０の両端の折り畳み部に面ファスナを縫い付け、鉢巻本体の中間の折り畳み部を縫い付けてポケットを形成した場合について説明したが、本考案はこれに限るものでなく、鉢巻本体が吸水性のよう布地で帯状に形成され、頭部５１への巻装時に鉢巻本体の長手方向の長さを頭部５１の周囲長に合わせて調整可能とするために、鉢巻本体の両端部に面ファスナが固着され、保冷材を収納するためのポケットが鉢巻本体の中間部に形成されたものについて利用することができる。
【産業上の利用可能性】
【００２６】
　ヘルメットや帽子の下にかぶって頭部から出る汗を吸収する汗とり鉢巻であって、ヘルメットや帽子を正しく装着することができ、装着時に頭部からずれることがなく、しかも頭部の周囲の略全域から汗を吸収することの可能な汗とり鉢巻に利用できる。。
【図面の簡単な説明】
【００２７】
【図１】本考案による汗とり鉢巻の使用状態を示す斜視図である。
【図２】図１中の汗とり鉢巻を示すもので、（ａ）は平面図、（ｂ）は正面図である。
【図３】図２（ｂ）のＡ−Ａ線拡大断面図で、図示の便宜上鉢巻本体１０の厚さを誇張して表した図である。
【図４】鉢巻本体１０の製作過程を示す図で、（ａ）は汎用の手拭いの両端部を折り返して縫い付けた状態を示す図、（ｂ）は１回折り畳んだ状態を示す図、（ｃ）は２回折り畳み、折り畳み部を縫い付けてポケット１５を形成した状態を示す図である。
【図５】他の実施例を示すもので、使用状態を示す斜視図である。
【図６】さらに他の実施例における汗とり鉢巻を示すもので、（ａ）は平面図、（ｂ）は正面図である。
【図７】図６（ｂ）のＡ−Ａ線拡大断面図で、図示の便宜上鉢巻本体１０Ｂの厚さを誇張して表した図である。
【図８】公知例を示す説明図である。
【符号の説明】
【００２８】
　１０、１０Ａ、１０Ｂ、１０Ｃ…鉢巻本体
　１１…手拭い
　１５、１５Ａ、１５Ｂ、１５Ｃ…ポケット
　２０、２０Ａ、２０Ｂ、２０Ｃ…面ファスナ
　３０、３０Ａ、３０Ｂ、３０Ｃ…保冷材
　５０…装着者
　５１…頭部
　１０３…ヘルメット
　Ｎ…縫い目
　ＳＬ１、ＳＬ２…折り畳み用の折り目
　
【図１】
0003099822.tif 000003
【図２】
0003099822.tif 000004
【図３】
0003099822.tif 000005
【図４】
0003099822.tif 000006
【図５】
0003099822.tif 000007
【図６】
0003099822.tif 000008
【図７】
0003099822.tif 000009
【図８】
0003099822.tif 000010
【手続補正書】
【提出日】平成15年8月13日(2003.8.13)
【手続補正１】
【補正対象書類名】図面
【補正対象項目名】図６
【補正方法】変更
【補正の内容】
【図６】
0003099822.tif 000011